(57)【要約】【課題】  情報記録媒体、これにデータを記録する方法及び装置を提供する。【解決手段】データ記録のための記録パターンが少なくとも一つのパルスを備え、前記少なくとも一つのパルスの個数が記録マークの長さに依存して決定されることを特徴とする情報記録媒体である。これにより、最適の個数のパルスを有する記録パターンによりデータを記録することによって、高倍速の記録時にも不要なパルスによる残留熱または重畳熱によりジッター特性が悪くなることを防止する。【選択図】      図４
2007511034.tif 000002
【特許請求の範囲】
【請求項１】
記録マーク及びスペースとしてデータを記録及び／または再生可能な情報記録媒体において、
データ記録のための記録パターンが少なくとも一つのパルスを備え、前記少なくとも一つのパルスの個数が記録マークの長さに依存して決定されることを特徴とする情報記録媒体。
【請求項２】
前記記録マークがＮＴ（Ｎは、自然数、Ｔは、基準記録／再生クロック信号の周期）の長さを有し、Ｎが３以上の自然数であるとき、前記記録パターンは（Ｎ−２）個のパルスを備え、Ｎ＝２であるときに（Ｎ−１）個のパルスを備えることを特徴とする請求項１に記載の情報記録媒体。
【請求項３】
前記記録マークがＮＴ（Ｎは、自然数、Ｔは、基準記録／再生クロック信号の周期）の長さを有し、Ｎが３より大きい自然数であるとき、前記記録パターンは（Ｎ−２）個のパルスを備え、Ｎ＝３またはＮ＝２であるときに（Ｎ−１）個のパルスを備えることを特徴とする請求項１に記載の情報記録媒体。
【請求項４】
前記記録パターンは最初のパルス、マルチパルス列及び最後のパルスを備え、前記最後のパルスの持続時間が０であることを特徴とする請求項２に記載の情報記録媒体。
【請求項５】
前記記録パターンは、最初のパルス及びマルチパルス列を備えることを特徴とする請求項２に記載の情報記録媒体。
【請求項６】
前記マルチパルス列に備えられた各マルチパルスが始まる位置が、所定基準時間からシフトされることを特徴とする請求項４に記載の情報記録媒体。
【請求項７】
前記マルチパルス列に備えられた各マルチパルスが始まる位置が、所定基準時間からシフトされることを特徴とする請求項５に記載の情報記録媒体。
【請求項８】
前記記録マークは、ＤＣレベルのパワーを有する消去パターンで消去されることを特徴とする請求項１に記載の情報記録媒体。
【請求項９】
情報記録媒体にデータを記録マーク及びスペースとして記録する方法において、
記録マークの長さによって定められる個数のパルスを有する記録パターンを備える記録波形を生成するステップと、
生成された記録波形を利用して記録マーク及びスペースを形成するステップとを含むことを特徴とする方法。
【請求項１０】
前記記録マークがＮＴ（Ｎは、自然数、Ｔは、基準記録／再生クロック信号の周期）の長さを有し、Ｎが３以上の自然数であるとき、前記記録パターンは（Ｎ−２）個のパルスを備え、Ｎ＝２であるときに（Ｎ−１）個のパルスを備えることを特徴とする請求項９に記載の方法。
【請求項１１】
前記記録マークがＮＴ（Ｎは、自然数、Ｔは、基準記録／再生クロック信号の周期）の長さを有し、Ｎが３より大きい自然数であるとき、前記記録パターンは（Ｎ−２）個のパルスを備え、Ｎ＝３またはＮ＝２であるときに（Ｎ−１）個のパルスを備えることを特徴とする請求項９に記載の方法。
【請求項１２】
前記記録パターンは、最初のパルス、マルチパルス列及び最後のパルスを備え、前記最後のパルスの持続時間が０であることを特徴とする請求項１０に記載の方法。
【請求項１３】
前記記録パターンは、最初のパルス及びマルチパルス列を備えることを特徴とする請求項１０に記載の方法。
【請求項１４】
前記マルチパルス列に含まれた各マルチパルスが始まる位置が、所定基準時間からシフトされることを特徴とする請求項１２に記載の方法。
【請求項１５】
前記マルチパルス列に備えられた各マルチパルスが始まる位置が所定基準時間からシフトされることを特徴とする請求項１３に記載の方法。
【請求項１６】
情報記録媒体にデータを記録する装置において、
記録マークの長さによって定められる個数のパルスを有する記録パターンを備える記録波形を発生させる記録波形発生回路と、
発生した記録波形によって前記情報記録媒体に光を照射して、入力されたデータを記録するために記録マークまたはスペースを形成するピックアップユニットとを備える装置。
【請求項１７】
前記記録波形発生回路は、前記記録マークがＮＴ（Ｎは、自然数、Ｔは、基準記録／再生クロック信号の周期）の長さを有し、Ｎが３以上の自然数であるとき、前記記録パターンが（Ｎ−２）個のパルスを備える記録波形を発生させ、Ｎ＝２であるときに（Ｎ−１）個のパルスを備える記録波形を発生させることを特徴とする請求項１６に記載の装置。
【請求項１８】
前記記録波形発生回路は、記録マークがＮＴ（Ｎは、自然数、Ｔは、基準記録／再生クロック信号の周期）の長さを有し、Ｎが３より大きい自然数であるとき、前記記録パターンが（Ｎ−２）個のパルスを備える記録波形を発生させ、Ｎ＝３またはＮ＝２であるときに（Ｎ−１）個のパルスを備える記録波形を発生させることを特徴とする請求項１６に記載の装置。
【請求項１９】
情報記録媒体にデータを記録する方法であって、
入力データを受容し、出力データを生成する前記入力データを変調するステップと、
記録パターンを有する記録波形、及び所定個数のパルスを有する消去パターンを生成するステップと、
前記生成された記録波形を使用して記録マーク及びスペースを生成することによって、情報記録媒体上に出力データを記録するステップとを含み、前記所定個数のパルスが前記記録パターンの長さに基づいて決定されることを特徴とする方法。
【請求項２０】
前記記録マークは、ＮＴの長さを有し、Ｎは、自然数を表し、Ｔは、基準記録及び／または再生クロック信号の周期を表し、前記記録パターンは、Ｎが３と同じであるか、または大きいときに（Ｎ−２）個のパルスを備え、Ｎ＝２であるときに（Ｎ−１）個のパルスを備えることを特徴とする請求項１９に記載の方法。
【請求項２１】
記録マークは、ＮＴの長さを有し、Ｎは、自然数を表し、Ｔは、基準記録及び／または再生クロック信号の周期を表し、前記記録パターンは、Ｎが３より大きいときに（Ｎ−２）個のパルスを備え、Ｎが２または３であるときに（Ｎ−１）個のパルスを備えることを特徴とする請求項１９に記載の方法。
【請求項２２】
前記記録パターンは、最初のパルス、マルチパルス列及び最後のパルスを備え、前記最後のパルスの持続時間は０であることを特徴とする請求項２０に記載の方法。
【請求項２３】
前記記録パターンは、最初のパルス及びマルチパルス列を備えることを特徴とする請求項２０に記載の方法。
【請求項２４】
前記マルチパルス列に備えられた各マルチパルスが始まる位置が所定基準時間からシフトされることを特徴とする請求項２２に記載の方法。
【請求項２５】
前記マルチパルス列に備えられた各マルチパルスが始まる位置が所定基準時間からシフトされることを特徴とする請求項２３に記載の方法。
【請求項２６】
前記出力データは、ＮＲＺＩデータであることを特徴をする請求項１９に記載の方法。
【発明の詳細な説明】
【技術分野】
【０００１】
本発明は、高速記録によるジッター特性を向上させるための最適の記録波形を含む情報記録媒体、これにデータを記録する方法及び装置に関する。
【背景技術】
【０００２】
一般的に、情報記録媒体、例えば、光ディスクは、非接触式で情報を記録／再生する光ピックアップ装置の情報記録媒体として広く採用され、情報記録の容量によってコンパクトディスク（ＣＤ）と、デジタル多機能ディスク（Ｄｉｇｉｔａｌ  Ｖｅｒｓａｔｉｌｅ  Ｄｉｓｋ）とに区分される。そして、情報の記録、消去及び再生が可能なディスクとして、６５０ＭＢ  ＣＤ−Ｒ（ＣＤ−Ｒｅｃｏｒｄａｂｌｅ）、ＣＤ−ＲＷ（ＣＤ−Ｒｅｗｒｉｔａｂｌｅ）、４.７ＧＢ  ＤＶＤ＋Ｒ／ＲＷ、ＤＶＤ−ＲＡＭ、ＤＶＤ−Ｒ／ＲＷなどがあり、再生専用のディスクとして、６５０ＭＢ  ＣＤ、４.７ＧＢ  ＤＶＤ−ＲＯＭなどがある。さらに、記録容量が２０ＧＢ以上である高密度の光ディスク（Ｈｉｇｈ  Ｄｅｆｉｎｉｔｉｏｎ（ＨＤ）−ＤＶＤ）も開発されている。
【０００３】
光記録媒体の一つである光ディスクにデータを記録するということは、光ディスクに形成されたトラックにマークを形成することを意味する。ＣＤ−ＲＯＭ（、ＤＶＤ−ＲＯＭなどの読み取り専用のディスクの場合、マークは、ピットで形成される。ＣＤ−Ｒ／ＲＷ、ＤＶＤ−Ｒ／ＲＷ／ＲＡＭなどの記録可能ディスクの場合、記録層には、温度によって結晶質または非晶質に変化される相変化膜が塗布されており、マークは、相変化膜の相変化によって形成される。このような記録可能ディスクの場合、記録／再生特性を最適化するために、記録方策という技術を導入しており、前記のディスクによって、その記録戦略が異なって適用される。また、ドライブによって記録条件が変わり、したがって、光記録媒体とドライブとの互換性がないこともある。
【０００４】
一方、信号検出の観点からデータの記録方式は、マークエッジ記録方式とマークポジション記録方式とに分けられる。マークポジション記録方式によれば、検出されたＲＦ信号の振幅が、マークが記録された位置で、正／負から負／正に変更される。マークエッジの記録方式によれば、検出されたＲＦ信号の振幅がマークの両エッジで正／負から負／正に変更される。したがって、マークのエッジを正確に記録することは、再生信号の品質を高めるのに当たって重要な要素になる。
【０００５】
しかし、相変化膜が塗布されたディスクの場合、従来の記録方法によって記録されたマークの後端を観察すれば、マークの長さまたはマークの間隔、すなわち、スペースの長さによってその形態が異なって表れるということが分かる。言い換えれば、マークの後端がマークの先端に比べて大きく形成されて、記録／再生の特性を低下させている。記録マークの長さが相対的に長い場合には、さらに熱蓄積に起因する。
【０００６】
図１は、従来の方式による記録波形を示す参考図である。図１に示すように、ＮＲＺＩ（Ｎｏｎ  Ｒｅｔｕｒｎ  ｔｏ  Ｚｅｒｏ  Ｉｎｖｅｒｔｅｄ）データを記録するための従来の記録波形が示されている。ここで、Ｔは、基準記録／再生クロック信号の周期を意味する。マークエッジの記録方式によれば、ＮＲＺＩデータのハイレベルは、マークとして記録され、ローレベルは、スペースとして形成される。マークの記録に使用される記録波形は、記録パターンと言い、スペースの形成に使用される（マークの消去に使用される）記録波形は、消去パターンと言う。従来の記録波形は、記録パターンとしてマルチパルスを使用し、各パルスのパワーレベルをＰｗ、Ｐｅ及びＰｂの３つのレベルに調節する。すなわち、記録パターンを構成する記録マルチパルスのパワーレベルは、Ｐｗ及びＰｂを有する。特に、ＮＲＺＩデータのローレベルであるスペースを形成するための消去パターンのパワーＰｅを所定のＤＣレベルに一定に維持する。ここで、Ｐｗは、記録パワーを意味し、Ｐｂは、バイアスパワーを意味し、Ｐｅは、消去パワーを意味する。
【０００７】
このように従来の記録波形に含まれている消去パターンは、所定の時間ＤＣレベルを一定に維持するために、当該領域に約０〜２００℃の熱が加えられ続ける。したがって、複数回反復記録すれば、劣化が発生し、マークの形態に歪曲をもたらして、記録／再生の特性が顕著に低下するという問題点がある。特に、ディスクにより多くのデータを記録するための高密度、高線速化が進むにつれて、基準記録／再生クロック信号の周期Ｔが減少して、記録波形を構成するパルス間の熱干渉が多くなるという環境ではさらに著しい。
【０００８】
すなわち、従来には、記録時に消去される領域をＤＣレベルの消去パワーで消去することによって、記録パルス間の熱干渉によってＣ／Ｎ（Ｃａｒｒｉｅｒ  ｔｏ  Ｎｏｉｓｅ  Ｒａｔｉｏ）などの記録／再生信号が減少し、記録マークの形成が不完全になって、一部が結晶化されることによって再生特性の劣化をもたらし、特に、データ伝送の速度を高めるために、高速記録時には記録／再生信号の歪曲が顕著に多くなるという問題点があった。
【０００９】
また、記録パルスとしてマルチパルスを使用するが、高倍速になるほど必要以上の記録パルスによる残留熱が連続したマークやスペースに影響を与え、一つのマーク形成時に、必要以上のパルスによる熱重畳によりマークが不良に形成されるという問題点がある。
【発明の開示】
【発明が解決しようとする課題】
【００１０】
本発明の目的は、前記問題点を解決するためになされたものであって、高速記録に対応した記録戦略を利用して、情報が記録された情報記録媒体、これにデータを記録する方法及び装置を提供するところにある。
【００１１】
本発明の他の目的は、記録倍速による記録パルスの個数についての情報が記録された情報記録媒体、データ記録方法及び装置を提供するところにある。
【課題を解決するための手段】
【００１２】
前記目的を達成するために、本発明に係る情報記録媒体は、データの記録及び／または再生可能な情報記録媒体において、デデータ記録のための記録パターンが少なくとも一つのパルスを備え、前記少なくとも一つのパルスの個数が記録マークの長さに依存して決定されることを特徴とする。
【００１３】
前記記録マークがＮＴ（Ｎは、自然数、Ｔは、基準記録／再生クロック信号の周期）の長さを有し、Ｎが３以上の自然数であるとき、前記記録パターンは（Ｎ−２）個のパルスを備え、Ｎ＝２であるときに（Ｎ−１）個のパルスを備える。
【００１４】
前記記録マークがＮＴ（Ｎは、自然数、Ｔは、基準記録／再生クロック信号の周期）の長さを有し、Ｎが３より大きい自然数であるとき、前記記録パターンは（Ｎ−２）個のパルスを備え、Ｎ＝３またはＮ＝２であるときに（Ｎ−１）個のパルスを備える。
【００１５】
前記記録パターンは最初のパルス、マルチパルス列及び最後のパルスを備え、前記最後のパルスの持続時間が０であることを特徴とする。
【００１６】
前記記録パターンは、最初のパルス及びマルチパルス列を備える。
【００１７】
前記マルチパルス列に備えられた各マルチパルスが始まる位置が、所定基準時間からシフトされることが望ましい。
【００１８】
前記目的を達成するために、本発明に係る情報記録媒体にデータを記録する方法は、記録マークの長さによって定められる個数のパルスを有する記録パターンを備える記録波形を生成するステップと、生成された記録波形を利用して記録マーク及びスペースを形成するステップとを含むことを特徴とする。
【００１９】
前記目的を達成するために、本発明に係る情報記録媒体にデータを記録する装置は、記録マークの長さによって定められる個数のパルスを有する記録パターンを備える記録波形を発生させる記録波形発生回路と、発生した記録波形によって前記情報記録媒体に光を照射して、入力されたデータを記録するために記録マークまたはスペースを形成するピックアップユニットとを備えることを特徴とする。
【００２０】
本発明のさらに他の目的及び／または利点は、部分的に後述する説明で記述され、部分的にその説明から明らかになり、または、本発明の実施例により習得できる。
【発明の効果】
【００２１】
本発明は、最適の個数のパルスを有する記録パターンによりデータを記録することによって、高倍速の記録時にも不要なパルスによる残留熱または重畳熱によりジッター特性が悪くなることを防止する。
【００２２】
また、本発明は、記録波形中にマルチパルスをシフトさせることによって適したジッター特性を有させて記録／再生特性を向上させ得る。
【００２３】
また、本発明は、記録波形の最後のパルスの持続時間を０と設定することによって、最適のジッター特性を有させて記録／再生特性を向上させ得る。
【発明を実施するための最良の形態】
【００２４】
本発明の実施例について、添付された図面の例を参照して詳細に説明され、明細書の全般に類似した部材については類似した参照番号で示す。実施例は、図面を参照して本発明を説明するために以下で説明される。
【００２５】
図２は、本発明の望ましい実施例に係る記録装置のブロック図である。図２に示すように、本発明の記録装置は、情報記録媒体２００にマークまたはスペースを形成することによってデータを記録する装置であって、ピックアップユニット１、記録波形発生回路２及びチャンネル変調器３を備える。
【００２６】
チャンネル変調器３は、外部から入力されたデータをチャンネルビット列に変調する。記録波形発生回路２は、チャンネルビット列を提供され、これを記録するための記録波形を発生させる。本発明によって発生した記録波形は、高速記録に対応した記録パターン及び消去パターンを備える。記録波形についての詳細な説明は後述する。ピックアップユニット１は、発生した記録波形によって情報記録媒体２００に光を照射してマークまたはスペースを形成する。
【００２７】
図３は、図２の一具現例である。ただし、同じ機能を行うブロックについては、図２と同じ参照番号を付けて、その反復説明を省略する。図３に示すように、記録装置は、ピックアップユニット１、記録波形発生回路２及びチャンネル変調器３を備える。ピックアップユニット１は、情報記録媒体２００を回転させるためのモータ１１、情報記録媒体２００にレーザ光を照射させるか、または情報記録媒体２００から反射されたレーザ光を受信するための光ヘッド１３、モータ１１及び光ヘッド１３をサーボ制御するサーボ回路１２及び光ヘッド１３に設置されたレーザ（図示せず）を駆動するレーザ駆動回路１４を備える。
【００２８】
チャンネル変調器３は、入力されたデータをチャンネルビット列に変調してＮＲＺＩデータを出力する。記録波形発生回路２は、ＮＲＺＩデータを記録するための記録波形を発生させて、ピックアップユニット１に備えられたレーザ駆動回路１４に提供する。レーザ駆動回路１４は、受信された記録波形を使用してレーザを制御することによって、情報記録媒体２００にマークまたはスペースを形成する。
【００２９】
図４は、記録波形発生回路２により発生した記録波形の一例を示す図である。
【００３０】
ＮＲＺＩデータは、チャンネル変調器３の変調方式によって変わる。例えば、ＲＬＬ（Ｒｕｎ  Ｌｅｎｇｔｈ  Ｌｉｍｉｔｅｄ）（１，７）変調方式を使用して記録すれば、最小記録マークは、２Ｔであり、最大記録マークは、８Ｔである。また、ＲＬＬ（２，１０）変調方式で変調する場合には、最小マーク長さは、３Ｔであり、最大マーク長さは、１１Ｔである。
【００３１】
第１実施例に係る情報記録媒体は、ＮＲＺＩデータのハイレベルをマークとして形成し、ローレベルをスペースとして形成するとき、ＮＴ長さを有するマークを形成する記録パターンが（Ｎ−１）個のマルチパルスを備える。そして、マルチパルスは、最初のパルス、マルチパルス列及び最後のパルスを備える。
【００３２】
図４において、Ｔｔｏｐは、最初のパルスの持続時間であり、Ｔｍｐは、マルチパルス列内の各パルスの持続時間（以下、マルチパルスの持続時間という）であり、Ｔｌｐは、最後のパルスの持続時間である。本実施例では、データのジッター特性を改善するために、マルチパルスのうち最後のパルスの持続時間Ｔｌｐが０であることが望ましい。
【００３３】
一方、記録波形を基準記録／再生クロック信号の周期Ｔ単位で分けて、各周期毎に開始位置が基準時間となるとき、各パルスの開始位置がその基準時間からシフトされ得る。例えば、最初のパルスが基準時間からシフトされた時間をｄＴｔｏｐ、マルチパルスが基準時間からシフトされた時間をｄＴｍｐ、最後のパルスが基準時間からシフトされた時間をｄＴｌｐ、消去パルスが基準時間からシフトされた時間をｄＴｅという。
【００３４】
本実施例では、マルチパルスが基準時間の位置に対してシフト時間ｄＴｍｐを有することが望ましい。さらに、速度が高倍速になるほど、最後の記録パルスが記録マークエッジの形成に最も大きな影響を及ぼすので、最後の記録パルスを備え、最後の記録パルスをシフトさせるためのｄＴｌｐを備える。
【００３５】
次に、高倍速の記録時に最適の記録パルスを求めるための実験を行った結果について説明する。このとき、最後の記録パルスのシフト時間ｄＴｌｐを変化させつつ、ジッター特性にどれほど影響を及ぼすかについて実験を行い、実験条件は、次の通りである。
【００３６】
【表１】
2007511034.tif 000003
図５は、最後のパルスをシフトさせつつジッター値を測定した結果を示す図である。ここで、ｌは、記録波形の左にシフトさせたものを表し、ｒは、記録波形の右にシフトさせたものを表す。実験結果、最後のパルスを所定の基準時間の位置を基準に左にシフトさせたとき、ジッター特性が改善された。このとき、リーディングエッジジッターは向上する一方、トレーリングエッジジッターはほとんど変化がなかった。この結果によれば、最後のパルスの不要な持続時間Ｔｌｐによる残留熱が連続する記録マークのリーディングエッジの形成に影響を及ぼすということが分かる。
【００３７】
ジッターが改善される現象は、Ｔｌｐを左側にシフトさせて、最後のパルスの直前にある記録パルスＴｍｐとＴｌｐとが出合うまで続く。この結果を考慮するとき、既存の記録パターンでＴｍｐの最後のパルスは、２倍速以上の高倍速の記録では記録マークの形成に悪影響を及ぼすと判断できる。
【００３８】
したがって、ジッター特性を改善するためにＴｌｐを最小値とし、Ｔｌｐが記録マークの形成時にトレーリングエッジに及ぼす影響を最小に維持するために、Ｔｍｐを右側にシフトさせることが望ましい。このために、記録波形は、Ｔｌｐを最小化するためにＴｌｐをほぼ０とし、マルチパルスのシフト時間ｄＴｍｐを含む。
【００３９】
第１実施例を具現するための第１記録波形として、ＮＴマークを記録するための記録パターンは、Ｎが３以上の自然数であるときに（Ｎ−２）個の記録パルスを備え、Ｎが２であるときに（Ｎ−１）個の記録パルスを備える。そして、最後のパルスＴｌｐを含み、Ｔｌｐ＝０に設定する。このとき、Ｔｌｐが記録マークの形成時に及ぼす最小の温度補償の効果を維持するために、Ｔｍｐを右側にシフトさせるためのｄＴｍｐを含む。
【００４０】
一方、第１実施例を具現するための第２記録波形として、図６に示すように、ＮＴマークを記録するための記録パターンは、Ｎが３以上の自然数であるときに（Ｎ−２）個の記録パルスを備え、Ｎが２であるときに（Ｎ−１）個の記録パルスを備える。そして、マルチパルスをシフトさせるためのｄＴｍｐを含む。
【００４１】
前記第１記録波形、第２記録波形及び既存の記録波形によるジッター特性を測定した結果を整理すれば、次の通りである。
【００４２】
【表２】
2007511034.tif 000004
表２及び図９に示すように、以上のようにしてジッター特性が既存の記録パルスでデータを記録した場合に比べて、約０.３〜１％向上したということが分かる。図９は、既存の記録パルス、第１実施例に係る第１記録パルス及び第２記録パルスによって記録する場合と、後述する第２実施例に係る第３記録パルス及び第４記録パルスによって記録する場合とについて反復記録によるジッター特性を測定した結果を表すグラフである。
【００４３】
具体的に、図４に示すように、記録波形が５Ｔ長さを有するマーク（５Ｔマーク）を記録するための記録パターン、３Ｔの長さを有するスペース（３Ｔスペース）を形成するための消去パターン、３Ｔの長さを有するマーク（３Ｔマーク）を記録するための記録パターン、２Ｔの長さを有するスペース（２Ｔスペース）を形成するための消去パターン、及び２Ｔの長さを有するマーク（２Ｔマーク）を形成するための記録パターンを備えるＮＲＺＩデータを例として説明する。
【００４４】
５Ｔの長さを有するマークを記録するための記録パターンは、最初のパルス、マルチパルス及び最後のパルスからなっている。ここで、記録パターンは、３個の記録パルスを備え、最後の記録パルスのＴｌｐ＝０である。そして、マルチパルスのシフトのためにｄＴｍｐを含む。
【００４５】
３Ｔスペースのために、ＤＣレベルの消去パターンを有する。この消去パターンは、ｄＴｅほどシフトされている。また、３Ｔマークを記録するためには、１つのパルス、すなわち、最初のパルスを備える。２Ｔスペースを形成するために、ＤＣレベルの消去パターンを有し、２Ｔマークを記録するために、一つの最初のパルスを備える。
【００４６】
次に、図６に示すように、５Ｔマークを記録するための記録パターンは、３個のパルスを備え、最初のパルス及びマルチパルスを備える。このとき、最後のパルスは備えられない。
【００４７】
本発明の第２実施例に係る情報記録媒体にデータを記録するための記録波形は、ＮＴの記録マークを形成するために、Ｎが３より大きい自然数であるとき、（Ｎ−２）個の記録パルスを備え、Ｎ＝３であるとき、及びＮ＝２であるときに（Ｎ−１）個の記録パルスを備える。ここで、Ｎが３より大きい自然数であるとき、最後のパルスのための持続時間Ｔｌｐを０と設定する。そして、Ｔｌｐにより記録マークの形成時に及ぼす最小の温度補償の効果を維持するために、マルチパルスの持続時間Ｔｍｐをシフトさせることが望ましいが、必須ではない。さらに望ましく、しかし、必須ではないように、マルチパルスを右側、すなわち、記録が終わる方向にシフトさせる。
【００４８】
本発明の第２実施例に係る情報記録媒体の記録波形の他の変形例として、ＮＴの記録マークを形成するために、Ｎが３より大きい自然数であるときに（Ｎ−２）個の記録パルスを備え、Ｎ＝３であるとき、及びＮ＝２であるときに（Ｎ−１）個の記録パルスを備え、マルチパルス持続時間ＴｍｐをシフトさせるためのｄＴｍｐを含む。ここでは、最後の記録パルスのためのＴｌｐを備えていない。
【００４９】
具体的に、図７に示すように、記録波形が５Ｔ長さを有するマーク（５Ｔマーク）を記録するための記録パターン、３Ｔの長さを有するスペース（３Ｔスペース）を形成するための消去パターン、３Ｔの長さを有するマーク（３Ｔマーク）を記録するための記録パターン、２Ｔの長さを有するスペース（２Ｔスペース）を形成するための消去パターン、及び２Ｔの長さを有するマーク（２Ｔマーク）を形成するための記録パターンを備えるＮＲＺＩデータを例として挙げて説明する。
【００５０】
５Ｔの長さを有するマークを記録するための記録パターンは、最初のパルス、マルチパルス及び最後のパルスからなっている。ここで、記録パターンは、３個の記録パルスを備え、最後の記録パルスのＴｌｐ＝０である。そして、マルチパルスのシフトのためにｄＴｍｐを含む。
【００５１】
３Ｔスペースのために、ＤＣレベルの消去パターンを有する。この消去パターンは、ｄＴｅほどシフトされている。また、３Ｔマークを記録するために、二つのパルス、すなわち、最初のパルス及びマルチパルスを備える。このマルチパルスは、ｄＴｍｐほどシフトされている。２Ｔスペースを形成するために、ＤＣレベルの消去パターンを有し、２Ｔマークを記録するために、一つの最初のパルスを備える。
【００５２】
次に、図８に示すように、５Ｔマークを記録するための記録パターンは、３個のパルスを備え、最初のパルス及びマルチパルスを備える。このとき、最後のパルスは備えられない。そして、３Ｔマークを記録するために、最初のパルス及びマルチパルスの二つのパルスを備え、マルチパルスは、ｄＴｍｐほどシフトされている。
【００５３】
本発明の第２実施例に係る第３記録波形及び第４記録波形を次のように構成し、反復記録によるジッター特性を測定した結果を表としてまとめた。
【００５４】
【表３】
2007511034.tif 000005
前記測定結果によれば、２倍速記録時にジッター特性が既存の記録波形により記録された場合に比べて、本発明の第２実施例によって記録された場合に全体的に約０.４〜１.２％改善された。
【００５５】
前記のような構成に基づいて本発明の望ましい実施例に係る記録方法を説明すれば、次の通りである。
【００５６】
図１０は、本発明の望ましい実施例に係る記録方法を説明するためのフローチャートである。図１０に示すように、記録装置は、外部からデータを入力されて変調してＮＲＺＩデータを生成する（ステップ１２０１）。次いで、高速記録に対応し、ジッター特性を向上させるために、本発明に係る記録パターン及び消去パターンを有する記録波形を生成する（ステップ１２０２）。記録パターンは、ＮＴマークを記録するために、Ｎが３より大きい自然数であるときに（Ｎ−２）個のパルスを備え、マルチパルスのシフトのためのｄＴｍｐを含む。そして、最後のパルスのためのＴｌｐを含むが、Ｔｌｐ＝０と設定する。または、最後のパルスを備えない。ここで、Ｎ＝３であるときに一つの最初のパルスを備え、Ｎ＝２であるときに一つの最初のパルスを備える。または、Ｎ＝３であるときに二つのパルスを備え、Ｎ＝２であるときに一つの最初のパルスを備え得る。
【００５７】
次いで、前記記録波形を使用して情報記録媒体にマークまたはスペースを形成する（ステップ１２０３）。
【００５８】
一方、前述した記録波形は、何れも５Ｔ、３Ｔ及び２Ｔについてのみ説明したが、これに基づいて２Ｔ、４〜６Ｔ、８〜最長Ｔに関するマーク及びスペースを形成する記録パターン及び消去パターンを生成することは当業者に容易である。
【００５９】
本発明についていくつかの実施例が例示及び説明されたが、当業者によって本発明の請求範囲で定義された範囲及びその均等な範囲で本発明の原理及び思想を逸脱せずに、これらの発明に対して変更可能であるということは言うまでもない。
【産業上の利用可能性】
【００６０】
本発明は、情報記録媒体に関連した技術分野に好適に適用され得る。
【図面の簡単な説明】
【００６１】
【図１】従来の記録波形を示す図である。
【図２】本発明の実施例に係る記録装置のブロック図である。
【図３】図２の具現例である。
【図４】本発明の第１実施例に係る情報記録媒体に適用される記録波形の一例を示す図である。
【図５】記録波形に含まれた最後のパルスのシフトによるジッター特性の変化を示す図である。
【図６】本発明の第１実施例に係る情報記録媒体に適用される記録波形の他の変形例を示す図である。
【図７】本発明の第２実施例に係る情報記録媒体に適用される記録波形の例を示す図である。
【図８】本発明の第２実施例に係る情報記録媒体に適用される記録波形の例を示す図である。
【図９】図４、図６、図７及び図８に示す記録波形によって記録された情報記録媒体のジッター特性と、既存の記録波形によって記録された情報記録媒体のジッター特性との変化を比較して示す図である。
【図１０】本発明の望ましい実施例に係る記録方法を説明するためのフローチャートである。
【符号の説明】
【００６２】
１      ピックアップユニット
２      記録波形発生回路
３      チャンネル変調器
１１    モータ
１２    サーボ回路
１３    光ヘッド
１４    レーザ駆動回路
２００  情報記録媒体
【図１】
2007511034.tif 000006
【図２】
2007511034.tif 000007
【図３】
2007511034.tif 000008
【図４】
2007511034.tif 000009
【図５】
2007511034.tif 000010
【図６】
2007511034.tif 000011
【図７】
2007511034.tif 000012
【図８】
2007511034.tif 000013
【図９】
2007511034.tif 000014
【図１０】
2007511034.tif 000015
【国際調査報告】
2007511034.tif 000016